(57)【要約】【課題】下地板の継目痕が目立たない壁仕上げ工法及び部分タイル張り壁面を提供する。【解決手段】柱１に対し複数枚の下地板２がビス、釘等により固定され、壁下地３が構築されている。この壁下地３に対し、タイル接着機能を有した塗り仕上げ材（例えば、顔料を含んだ弾性接着剤）を塗着して塗着層４を形成する。次いで、この塗着層４が硬化する前に、下地板２，２同士の継目に沿ってピン付き工具７のピン６を掃引し、筋５をつける。その後、筋５に沿ってタイル１０を張り付ける。水糸を張ることなく各タイル５を効率よく水平に揃えて張り付けることができる。タイルが張り上がった壁面にあっては、筋５がタイル１０の辺に沿うため殆ど目立たない。タイル１０を張り付けなかった領域では、塗着層４の硬化物よりなる塗り仕上げ面１１が形成される。【選択図】図５
2006037563.tif 000002
【特許請求の範囲】
【請求項１】
タイルが壁面の一部に張り付けられ、該壁面のうちタイル張り部分に隣接した部分は塗り仕上げ材料にて塗り仕上げされている部分タイル張り壁面を構築する壁仕上げ工法において、
複数枚の下地板を並設することにより形成された壁下地に対し、タイル接着機能を有した塗り仕上げ材を塗着して塗着層を形成する工程と、
該下地板同士の継目に沿ってピンを掃引し、該塗着層に筋をつける工程と、
該筋に沿ってタイルを塗着層に押し付けて張り付ける工程と、
を有することを特徴とする壁仕上げ工法。
【請求項２】
請求項１において、タイルを個別に、タイルの辺を前記筋に沿わせて張り付けることを特徴とする壁仕上げ工法。
【請求項３】
請求項１において、複数枚のタイルがそれらの前面側に貼着されたシートによって連結されてなるタイルユニットを用い、
該タイルユニットの端部に配置されたタイルの辺を前記筋に沿わせて各タイルを前記塗着層に押し付けて張り付け、
その後、該シートをタイルから剥すことを特徴とする壁仕上げ工法。
【請求項４】
請求項１ないし３のいずれか１項において、壁面における下地板同士の略すべての継目に沿って前記筋をつけ、すべての筋に沿ってタイルを張り付けることを特徴とする壁仕上げ工法。
【請求項５】
タイルが壁面の一部に張り付けられ、該壁面のうちタイル張り部分に隣接した部分は塗り仕上げ材料にて塗り仕上げされている部分タイル張り壁面において、
複数枚の下地板が並設されて形成された壁下地と、
該壁下地に塗着された、タイル接着機能を有した塗り仕上げ材よりなる塗着層と、
該塗着層の一部に張り付けられた前記タイルとを有し、
少なくとも一部のタイルは該下地板同士の継目に沿って張り付けられていることを特徴とする壁面。
【請求項６】
請求項５において、該継目に沿って筋が設けられ、この筋に沿ってタイルが張り付けられていることを特徴とする壁面。
【請求項７】
請求項５又は６において、壁面における下地板同士の略すべての継目に沿ってタイルが張り付けられていることを特徴とする壁面。
【発明の詳細な説明】
【技術分野】
【０００１】
本発明は、タイル接着機能を有した塗り仕上げ材を用いてタイル張り及び塗り仕上げを行う壁仕上げ工法及び壁面に関する。
【背景技術】
【０００２】
従来、タイルを壁面に接着するための接着剤として、下地追従性が高く、タイルにひび割れ等の欠陥を起こし難いことから、弾性接着剤が用いられている。このタイル張り用弾性接着剤としては、一般に変性シリコーン系弾性接着剤が知られている（特開平１０−１５９３０４号公報、特開平１１−３４９９１６号公報）。
【特許文献１】特開平１０−１５９３０４号公報
【特許文献２】特開平１１−３４９９１６号公報
【発明の開示】
【発明が解決しようとする課題】
【０００３】
従来より、壁の一部をタイル張り仕上げとし、他の部分をコテ等により塗り仕上げとする部分タイル張り壁面が知られている。この塗り仕上げ材料としても、下地追従性に優れることから、顔料やフィラーを添加した弾性接着剤が用いられている。
【０００４】
従来の部分タイル張り壁面にあっては、タイル張り用弾性接着剤と塗り仕上げ用弾性接着剤とに別々の弾性接着剤を用いているため、異なる弾性接着剤を塗布するための作業工程が煩雑となる；異なる弾性接着剤同士の境界の継ぎ目部分に汚れが付着し易い；２種の弾性接着剤を準備するための資材管理に手間がかかる；という問題があった。
【０００５】
また、従来、複数枚の下地板を並設して構築した壁面に塗り仕上げを施した場合、下地板同士の継目に沿って塗り仕上げ層に段差や凹条よりなる筋目が生じ、見栄えが悪くなることがあった。これは、部分タイル貼り壁面の塗り仕上げ面についても同様に生じていた。
【０００６】
本発明は、上記従来の問題点を解決し、下地板の継目痕が目立たない壁仕上げ工法及び部分タイル張り壁面を提供することを目的とする。
【課題を解決するための手段】
【０００７】
請求項１の壁仕上げ工法は、タイルが壁面の一部に張り付けられ、該壁面のうちタイル張り部分に隣接した部分は塗り仕上げ材料にて塗り仕上げされている部分タイル張り壁面を構築する壁仕上げ工法において、複数枚の下地板を並設することにより形成された壁下地に対し、タイル接着機能を有した塗り仕上げ材を塗着して塗着層を形成する工程と、該下地板同士の継目に沿ってピンを掃引し、該塗着層に筋をつける工程と、該筋に沿ってタイルを塗着層に押し付けて張り付ける工程と、を有することを特徴とするものである。
【０００８】
請求項２の壁仕上げ工法は、請求項１において、タイルを個別に、タイルの辺を前記筋に沿わせて張り付けることを特徴とするものである。
【０００９】
請求項３の壁仕上げ工法は、請求項１において、複数枚のタイルがそれらの前面側に貼着されたシートによって連結されてなるタイルユニットを用い、該タイルユニットの端部に配置されたタイルの辺を前記筋に沿わせて各タイルを前記塗着層に押し付けて張り付け、その後、該シートをタイルから剥すことを特徴とするものである。
【００１０】
請求項４の壁仕上げ工法は、請求項１ないし３のいずれか１項において、壁面における下地板同士の略すべての継目に沿って前記筋をつけ、すべての筋に沿ってタイルを張り付けることを特徴とするものである。
【００１１】
請求項５の壁面は、タイルが壁面の一部に張り付けられ、該壁面のうちタイル張り部分に隣接した部分は塗り仕上げ材料にて塗り仕上げされている部分タイル張り壁面において、複数枚の下地板が並設されて形成された壁下地と、該壁下地に塗着された、タイル接着機能を有した塗り仕上げ材よりなる塗着層と、該塗着層の一部に張り付けられた前記タイルとを有し、少なくとも一部のタイルは該下地板同士の継目に沿って張り付けられていることを特徴とするものである。
【００１２】
請求項６の壁面は、請求項５において、該継目に沿って筋が設けられ、この筋に沿ってタイルが張り付けられていることを特徴とするものである。
【００１３】
請求項７の壁面は、請求項５又は６において、壁面における下地板同士の略すべての継目に沿ってタイルが張り付けられていることを特徴とするものである。
【発明の効果】
【００１４】
本発明によって得られる壁面にあっては、下地板同士の継目に沿ってタイルが張り付けられているため、仮にこの継目に沿って塗り仕上げ層に段差や凹条よりなる継目痕が生じても、殆ど目立たず、外観上の見栄えが極めて良好となる。
【００１５】
本発明方法によると、塗着層に筋をつけてタイル張りを行うため、水糸を張ることなく、タイルの辺を揃えてタイル張りすることができ、タイル張り作業効率が良好である。
【００１６】
この筋は、ピンによってつけられるものであるから、極めて細く、殆ど目立たない。
【００１７】
本発明では、タイルの辺をこの筋に沿わせることが好ましく、これにより各タイルの辺を筋に沿って一直線状に正確に揃えることができる。
【００１８】
このタイルは、１枚ずつ個別に張り付けられてもよく、タイルユニットを用いて行われてもよい。このタイルユニットは、複数枚のタイルが例えば桝目状など規則的に配列され、各タイルの前面に紙などのシートを貼着して各タイルが一体化されたものである。シートとしては、紙が広く用いられており、この場合タイルユニットは紙貼りタイルユニットと称されている。
【００１９】
このタイルユニットを用いてタイル張りする場合は、タイルユニットの端部に配置されたタイルユニットの辺を筋に沿わせるのが好ましい。これにより、タイルユニットの各タイルが一度に規則的に壁面に張り付けられる。
【００２０】
本発明では、下地板同士の略すべての継目に沿ってタイルを張ることにより、壁面全体で継目が目立たないものとなる。
【発明を実施するための最良の形態】
【００２１】
以下、図面を参照して実施の形態について説明する。第１図〜第５図は本発明の実施の形態に係る壁仕上げ工法を示すものであり、このうち第５図は仕上げが完了した壁面を示している。
【００２２】
第１図の通り、柱１に対し複数枚の下地板２がビス、釘等により固定され、壁下地３が構築されている。この実施の形態では、第４図（ａ）に拡大して示す通り、下地板２には下縁及び上縁に実部２ａ，２ｂが設けられており、これらの実部２ａ，２ｂを係合させるようにして各下地板２同士が並設されている。
【００２３】
第２図の通り、この壁下地３に対し、タイル接着機能を有した塗り仕上げ材（例えば、顔料を含んだ弾性接着剤）を塗着して塗着層４を形成する。
【００２４】
次いで、この塗着層４が硬化する前に、好ましくは塗着層４を形成した後、直ちに、第３図及び第４図（ａ）のように、下地板２，２同士の継目に沿ってピン付き工具７のピン６を掃引し、筋５をつける。この実施の形態では、上下に隣接する下地板２，２の継目にピン６の先端を係合させ、該継目に沿ってピン６を掃引することにより、水平に延在する筋５が形成される。
【００２５】
なお、下地板２，２同士の継目にあっては、両者の前面側の角縁の間に微小ながら隙間ないし凹みが生じるので、ピン６の先端をこの隙間ないし凹みに係合させ、ピン６を継目に沿って移動させることにより細い筋５が形成される。
【００２６】
ただし、ピン６を掃引し易くするために、第４図（ｂ）の下地板２Ａのように前面側の下縁及び上縁にそれぞれ面落し部８を設けておき、下地板２Ａ，２Ａの継目にＶ字状の溝を形成してもよい。
【００２７】
また、第４図（ｃ）の下地板２Ｂのように、下縁の実部２ａの垂下長さを上縁の実部２ｂの起立高さよりも小さくし、下地板２Ｂ，２Ｂの継目に、前面側に露呈する凹溝９が形成される場合には、この凹溝９に臨む下地板下端面９ａ又は下地板上端面９ｂに沿ってピンを掃引することにより筋５が形成される。なお、第４図（ｃ）の凹溝９は、パテの如き充填材料を充填した後、塗着層が形成される。パテの如き充填材料を用いる代りに、塗着層形成用の塗り仕上げ材を塗着層４の形成時に凹溝９に充填してもよい。
【００２８】
このように筋５を形成した後、第５図の通り、筋５に沿ってタイル１０を張り付ける。この際、タイル１０の上辺又は下辺（この実施の形態では上辺）を筋５に沿わせる。これにより、水糸を張ることなく各タイル５を効率よく水平に揃えて張り付けることができる。
【００２９】
タイルが張り上がった壁面にあっては、筋５がタイル１０の辺に沿うため殆ど目立たない。タイル１０を張り付けなかった領域では、塗着層４の硬化物よりなる塗り仕上げ面１１が形成される。
【００３０】
また、下地板２同士の継目に沿って塗り仕上げ面１１に段差や凹条などの継目痕が生じても、これらはタイル１０の辺に沿うものとなるため、殆ど目立たず、塗り仕上げ面１１の美観も良好なものとなる。
【００３１】
上記実施の形態では、筋５に沿って１列だけタイル１０が張られているが、第６図（ａ）あるいは第７図の如く２列以上張られてもよい。
【００３２】
第６図（ａ）では、図中の上側の筋５に沿ってはタイル１２が水平方向に１列だけ張られているが、それよりも下側の筋５に沿っては、上下方向にも複数枚のタイル１２が張られている。
【００３３】
このように上下左右に複数枚のタイル１２を張る場合、第６図（ｂ），（ｃ）に示す紙張りタイルユニット１４を用いると、施工効率が向上する。この紙張りタイルユニット１４は、複数枚（この実施の形態では５×５＝２５枚）のタイル１２を正方桝目状に配列し、それらの前面に紙１３を水溶性糊によって張り付けて一体化させたものである。なお、図では紙１３は正方形状となっているが、複数枚の短冊状や環状等の紙を付着させてタイル１２同士を連結してもよい。
【００３４】
この紙張りタイルユニット１４を用いてタイル張りするには、前記塗着層４を形成し、筋５を形成した後、タイルユニット１４の最上段の各タイル１２の上辺を筋５に沿わせて該タイルユニット１４の各タイル１２を塗着層４に押し付けて張り付ける。塗着層４が硬化した後、タイルユニット１４の紙１３に水を付けて紙１３を剥す。このようにすれば、タイルユニット１４の最上段のタイル１２が筋５に沿い、それよりも下段側の各タイル１２がそれに平行に揃ったタイル張り壁面を簡単に形成することができる。
【００３５】
第７図の実施の形態では、筋に沿って上下２段にタイル１５を張り付けている。筋は、図中のａ，ｂ，ｃのいずれの位置に存在していてもよい。
【００３６】
上記実施の形態はいずれも本発明の一例であり、本発明は図示以外の形態をもとりうる。例えば、筋に沿うタイルの枚数は図示以外であってもよい。また、上記実施の形態では下地板を水平横長に張っているところから筋５を水平に引いているが、下地板を縦長に張った場合には、筋５は上下方向に引くことになり、タイルはこの上下方向の筋に沿って張られることになる。この場合、当然ながら、タイルの側辺を上下方向の筋に沿わせることになる。
【図面の簡単な説明】
【００３７】
【図１】壁下地を示す斜視図である。
【図２】壁下地に塗り仕上げ材を塗着して塗着層を形成した状態を示す斜視図である。
【図３】塗着層に筋を引いた状態を示す斜視図である。
【図４】上下の下地板同士の継目部分の縦断面図である。
【図５】タイル張りされた壁面の斜視図である。
【図６】（ａ）図はタイル張りされた別の実施の形態に係る壁面の正面図である。（ｂ）図は紙張りタイルユニットの断面図であり、（ｃ）図のＢ−Ｂ断面を示す。（ｃ）図は紙張りタイルユニットの正面図である。
【図７】タイル張りされたさらに別の実施の形態に係る壁面の正面図である。
【符号の説明】
【００３８】
２，２Ａ，２Ｂ  下地板
３  壁下地
４  塗着層
５  筋
６  ピン
１０，１２，１５  タイル
１１  塗り仕上げ面
１４  紙張りタイルユニット
【図１】
2006037563.tif 000003
【図２】
2006037563.tif 000004
【図３】
2006037563.tif 000005
【図４】
2006037563.tif 000006
【図５】
2006037563.tif 000007
【図６】
2006037563.tif 000008
【図７】
2006037563.tif 000009